(57)【要約】      （修正有）【課題】止水材がフェースプレートと支持板の間に殆ど隙間無く収納されていても樋の取り付け取外し可能な伸縮装置遊間部の排水装置を提供する。【解決手段】伸縮装置１は一対のフェースプレート２と壁体３より突設する一対の支持板４と止水材５を備え支持板下面に下がり壁８を垂下する。下がり壁８は排水装置１０の樋１１を水密に接続する。樋１１は薄いゴム板であって撓ませた樋１１の両端曲折部を締付材１３により下がり壁８に係止する。締付材１３は丸棒を加工した棒体とボルトを有し、ボルトの頭を樋１１の下に露出して取外し可能な構造となる。ゴム板の曲折部は円弧状側面の棒体に当接するので鋭角に折り曲げられることが無くなり応力集中の緩和が図れる。【選択図】図１
0003174898.tif 000002
【実用新案登録請求の範囲】
【請求項１】
対向する一対のフェースプレートと、その下面より夫々垂下する壁体と、この壁体より突設して対向する一対の支持板と、前記フェースプレートの下面及び対向する前記壁体間に収納され前記支持板上に位置する止水材とを備える橋梁の伸縮装置にあって、前記支持板の下方遊間に前記壁体と直交する方向に伸縮可能な樋を備える伸縮装置遊間部の排水装置において、前記支持板は、相互に咬合可能な櫛歯状部を有すると共に支持板下方に下がり壁を夫々垂下し、前記止水材は、支持板櫛歯状部の上面に沿って弾性変形し得る部材であり、前記樋は、両端部に樋上面側を前記下がり壁に当接する曲折部を有すると共に、この曲折部を前記下がり壁に係止する締付材を備えることを特徴とする伸縮装置遊間部の排水装置。
【請求項２】
前記締付材は、前記下がり壁と平行に配置する棒体を有し、前記樋は、薄いゴム板であって、このゴム板が伸縮可能に当接する前記棒体の側面は円弧状であることを特徴とする請求項１記載の伸縮装置遊間部の排水装置。
【考案の詳細な説明】
【技術分野】
【０００１】
この考案は、フェースプレートと支持板の間に止水材を備える橋梁の伸縮装置にあって、支持板の下方遊間に伸縮可能な樋を備える伸縮装置遊間部の排水装置に関する。
【背景技術】
【０００２】
橋梁、例えば道路橋で用いられる伸縮装置は、車輌等の荷重による撓みや温度変化等によって生ずる床版の伸縮に対応できるよう、又通行車輌の走行性等を確保して、かつ騒音・振動の発生を抑制できるような構成をとっている。
【０００３】
又伸縮装置は桁端部や支承部に漏水しない防水性も要求されている。従来は、桁端部間等の遊間部に止水材を持たせた非排水構造が標準とされ、止水材の劣化損傷による漏水に備えた排水装置を遊間部に併設する要求は、一部の形式に限定されていた。しかし、近年では一部製品の非排水構造における漏水事例の多さから、遊間部に排水装置を併設する非排水構造の伸縮装置が標準とされるようになりつつある。
【０００４】
このような遊間部における排水装置の目的は、伸縮装置の防水性の確保であり、伸縮装置の漏水を遊間から排水する機能によって果たされる。漏水は伸縮装置本体の前面下端から流下、又は伸縮装置遊間部から滴下して桁端部や支承部に至ることから、排水装置の機能は流下する漏水を導くこと（導水）、滴下する漏水を集めること（集水）、導き集めた漏水を排出すること（排水）の三つの要素より成立する。
【０００５】
排水装置は導水する伸縮装置本体との接続部、集水する排水装置本体、排水する水抜きから成るが、遊間が拡大縮小する作用を繰り返し受けるため排水装置には隙間の設置または伸縮性の保持が必要となる。
【０００６】
遊間部を伸縮可能な樋で閉鎖する従来の排水装置としては、例えば特許文献１に記載されるような構造があった。
【特許文献１】実開昭５６−８７５０３号公報
【０００７】
図５に示すように、この排水装置１１０は橋桁端部の上部に取り付けた対向する一対のフェースプレート１０２，１０２と、その下面より夫々垂下する壁体１０３，１０３を備えた櫛型伸縮継手装置１０１に取り付けられたものであって、この壁体１０３の中間には、遊間１０９に向かって一対の支持板１０４，１０４を対向して突設していた。
【０００８】
この支持板１０４の下面には、樋１１１を締付板１１３ａで押さえながらボルトナット１１３ｂにより水密状態を保って取り付けていた。この樋１１１は断面Ｖ字形の溝を中央に形成しており壁体１０３に直交する方向に対して伸縮可能な構成であった。
【０００９】
又、支持板１０４の上方の空洞には断面略矩形の変形可能なバックアップ材１２０を載置し、その上部には弾性シール材１２１を充填していた。弾性シール材１２１は、接着性や被着体への食い込みが優れ良好なシール効果を有し硬化後も緩衝性や伸縮性などのゴム弾性を有するものが用いられた。又バックアップ材１２０は、充填時に弾性シール材１２１が樋１１１に流出するのを防止するものであった。
【００１０】
この伸縮継手装置１０１は、橋桁の伸縮に伴って遊間１０９が変化しても、弾性シール材１２１が壁体１０３やバックアップ材１２０に接着したまま追随し、雨水などの浸入を防止するものであった。更に、支持板１０４の下部に設ける伸縮自在な樋１１１により仮に弾性シール材１２１からの浸水があっても二重の漏水防止を可能とする構成であった。
【考案の開示】
【考案が解決しようとする課題】
【００１１】
しかし、このような従来の排水装置１１０は、伸縮装置１０１の壁体１０３中間に突設する支持板１０４の下面にボルトナット１１３ｂにより水密状態を保ちながら樋１１１を取り付ける構成であったため、止水材がフェースプレートの下面、対向する壁体間及び支持板の上面に殆ど隙間無く収納され、しかも止水材が支持板上面に沿って弾性変形する部材の場合には、樋の取り付けが困難になるという問題点があった。
【００１２】
この考案は、従来の橋梁の伸縮装置遊間部の排水装置が有する上記の問題点を解消すべくなされたものであり、止水材がフェースプレートと支持板の間に殆ど隙間無く収納されていても、樋の取り付けが可能で、しかも取外し可能な橋梁の伸縮装置遊間部の排水装置を提供することを目的としている。
【課題を解決するための手段】
【００１３】
上記課題を解決するため、この考案の橋梁の伸縮装置遊間部の排水装置は、対向する一対のフェースプレートと、その下面より夫々垂下する壁体と、この壁体より突設して対向する一対の支持板と、前記フェースプレートの下面及び対向する前記壁体間に収納され前記支持板上に位置する止水材とを備える橋梁の伸縮装置にあって、前記支持板の下方遊間に前記壁体と直交する方向に伸縮可能な樋を備える伸縮装置遊間部の排水装置において、前記支持板は、相互に咬合可能な櫛歯状部を有すると共に支持板下方に下がり壁を夫々垂下し、前記止水材は、支持板櫛歯状部の上面に沿って弾性変形し得る部材であり、前記樋は、両端部に樋上面側を前記下がり壁に当接する曲折部を有すると共に、この曲折部を前記下がり壁に係止する締付材を備えることを特徴とするものである。
【００１４】
フェースプレート及び支持板には、夫々櫛歯状の凹凸が設けられ相互に咬み合うような構造となっており、床版の伸縮に対応することができると同時に、床版が伸縮しても、止水材を確実に支持することができるようになっている。
【００１５】
樋は、曲折部の外面を下がり壁に当接し、内面側より締付材で取り付ける。曲折部の外面及び内面は、夫々樋の上面及び下面に該当する。この取付面の水密性を確保しながら、樋の下側にて締付材の取付け取外しが可能な構成とする。樋は壁体と直交する方向に伸縮可能で、かつ下側から下がり壁に対して取り付け取外しが可能な構成であれば材質・形状は限定されない。
【００１６】
請求項２記載の排水装置の締付材は、前記下がり壁と平行に配置する棒体を有し、前記樋は、薄いゴム板であって、このゴム板が伸縮可能に当接する前記棒体の側面は円弧状であることを特徴とするものである。
【００１７】
棒体はボルト等で下がり壁に締結する。
【考案の効果】
【００１８】
この考案の橋梁の伸縮装置遊間部の排水装置は、支持板下方に垂下する下がり壁に樋の曲折部を係止するので、止水材がフェースプレートと支持板の間に殆ど隙間無く収納されていても、樋の取り付けが可能である。しかも樋曲折部の内面側より取り付けるので樋の下側にて締付材及び樋の取付け取外しが可能となる。
【００１９】
請求項２記載の排水装置は、側面円弧状の棒体にて薄いゴム板からなる樋を取り付けるので、撓み量の変化により伸縮性を発揮し、遊間が拡大縮小する作用に対して歪が小さく耐久性の確保に有利である。薄いゴム板の使用は締付において有利であり、水密性の確保に寄与する。
【００２０】
ゴム板の曲折部は円弧状側面の棒体に当接するので、鋭角に折り曲げられることが無くなり、応力集中の緩和が図れる。
【考案を実施するための最良の形態】
【００２１】
次にこの考案の実施の形態を添付図面に基づき詳細に説明する。図１は伸縮装置及びその遊間部に設置する排水装置を示す断面斜視図、図２は図１のＡ方向の矢視図である。
【００２２】
伸縮装置１は、所定の間隔をおいて対向するよう設置される一対のフェースプレート２，２と、その下面より夫々垂下する壁体３，３と、夫々の壁体３，３より突設して対向する一対の支持板４，４と、フェースプレート２の下面及び対向する壁体３間に収納され支持板４上に載置する止水材５を備える。
【００２３】
フェースプレート２は、櫛歯状に形成された多数の凸部２ａを有し、背面側の床版端部に打設されるコンクリート６に埋設する孔あきジベル７を有する。これらフェースプレート２、支持板４及び孔あきジベル７はアルミ合金により一体的に成形されている。
【００２４】
一方側のフェースプレート２と、これに対向するフェースプレート２とが相互に咬み合うような構造となっており、通行する車輌の走行性を確保しつつ、床版の伸縮に対応することができるようになっている。
【００２５】
又、支持板４にも同様に夫々櫛歯状の凹凸が設けられており、一方側の支持板４と、これに対向する支持板４とが相互に咬み合うような構造となっている。このため、支持板４も床版の伸縮に対応することができ、床版が伸縮しても、問題なく止水材５を支持することができるようになっている。
【００２６】
止水材５は、弾性を有するゴム材によって構成されており、支持板４とフェースプレート２とに挟まれるように配設されている。尚、止水材５は、橋長方向に圧縮された状態で配設されており、弾性力及び復元力によって、床版の伸縮に追従して、橋梁下へと流れ落ちる水を好適に防止することができるようになっている。
【００２７】
支持板４は、下面に下がり壁８を夫々垂下する。この下がり壁８は伸縮装置１の遊間部９に設置する排水装置１０の樋１１を水密に接続するための接続箇所となるが、床版端部にコンクリート６を打設する際の図示しない堰板を係止する役目も果たす。
【００２８】
この樋の構成を図３に基づき説明する。図３は樋の要部を示す断面斜視図である。樋１１は、薄いゴム板であって、撓ませた樋１１の両端曲折部１２を締付材１３により下がり壁に係止する。樋１１の一端部には底部より端部壁１４を立設し、底部の適宜箇所に水抜き１５を設置する。薄いゴム板は撓み量の変化により伸縮性を発揮し、遊間が拡大縮小する作用に対して歪が小さく耐久性の確保に有利である。
【００２９】
締付材の詳細を図４に基づき説明する。図４は締付材の構成を示す分解断面図である。締付材１３は、下がり壁８と平行に配置する丸棒を加工した棒体１３ａと、下がり壁８に設けるネジ孔８ａにねじ込むボルト１３ｂを有し、下がり壁８と曲折部１２の接触面には止水テープ１３ｃを貼り付ける。
【００３０】
棒体１３ａは丸棒の断面の一部を平面に仕上げてゴム板曲折部１２の締付面とし、ボルト座面を座グリ加工する。締付材１３は耐食性確保のためアルミ合金製又はステンレス製とする。
【００３１】
ゴム板の両端部の上面が下がり壁８との接触面、下面が締付材１３との接触面となるので、ボルト１３ｂの頭を樋１１の下に露出して取外し可能な構造となり、樋１１の取外しが可能である。又、下がり壁８に設けるネジ孔８ａにより樋１１の後付（伸縮装置設置後の取り付け）が可能である。薄いゴム板の使用は締付において有利であり、水密性の確保に寄与する。又、ゴム板の曲折部１２は円弧状側面の棒体１３ａに当接するので、鋭角に折り曲げられることが無くなり、応力集中の緩和が図れる。
【図面の簡単な説明】
【００３２】
【図１】伸縮装置の遊間部に設置する排水装置を示す断面斜視図である。
【図２】図１のＡ方向の矢視図である。
【図３】樋の要部を示す断面斜視図である。
【図４】締付材の構成を示す分解断面図である。
【図５】従来の伸縮装置遊間部の排水装置の断面図である。
【符号の説明】
【００３３】
１  伸縮装置
２  フェイスプレート
３  壁体
４  支持板
５  止水材
８  下がり壁
９  遊間部
１０  排水装置
１１  樋
１３  締付材
【図１】
0003174898.tif 000003
【図２】
0003174898.tif 000004
【図３】
0003174898.tif 000005
【図４】
0003174898.tif 000006
【図５】
0003174898.tif 000007